(57)【要約】【課題】風呂釜付給湯機の１缶２水路式熱交換器の異常音防止に関するもので、給湯中の風呂用伝熱管内の部分沸騰を抑え温度バランスのくずれを防止し、異音の発生を防止すること。【解決手段】風呂用循環回路１８停止時に、給湯回路１９の燃焼運転を開始すると、循環ポンプ１２を運転させることにより風呂用伝熱管１３内の水に流れを生じさせ、水の停止状態で発生する部分的な沸騰状態を防止すると共に、沸騰することによる風呂用伝熱管１３・吸熱フィン１７・燃焼室ドラム１６の温度バランスのくずれを防止する。これによって、膨張状態のみだれによりひずみの発生を抑え、異音を発することを無くすことができる。【選択図】　図１
2004069075.tif 000002
【特許請求の範囲】
【請求項１】
燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路と、前記風呂用伝熱管に浴そう内の水を供給する循環ポンプと、前記風呂用循環回路内の水の流れを検知する風呂流量検出器と、前記風呂用循環路内の水温を検知する風呂温度検出器とを備え、前記風呂用循環回路停止時に、前記給湯回路の燃焼運転を開始すると、前記循環ポンプを運転させる風呂釜付給湯機。
【請求項２】
循環ポンプが運転しても風呂流量検出器が水の流れを検出できないときは、前記循環ポンプの運転を停止させる請求項１記載の風呂釜付給湯機。
【請求項３】
循環ポンプ運転時、風呂温度検出器が設定以上を検出すると、前記循環ポンプの運転を停止させる請求項１または２記載の風呂釜付給湯機。
【請求項４】
循環ポンプ運転時、低速で回転させる請求項１記載の風呂釜付給湯機。
【発明の詳細な説明】
【０００１】
【発明の属する技術分野】
本発明は異常音を防止した１缶２水路式熱交換器を有する風呂釜付給湯機に関するものである。
【０００２】
【従来の技術】
従来、この種の気化式石油給湯機は図５に示すようになっていた。
【０００３】
図５において、給水口１より導かれた水は、流量センサー２・給水サーミスター３を介して熱交換器４の給湯用伝熱管５に導かれる。そこで、バーナー６の燃焼熱を水に熱交換されお湯に沸き上がる、沸き上がった湯は、出湯温度検出器７を介してカラン８等から使用場所に供給される。沸き上がり温度は、出湯温度設定器９より好みの温度に設定する事ができるようになっていて、出湯温度設定器９により設定された温度と、流量センサー２の流量値と、給水サーミスター３の温度情報を制御器１０により演算し、バーナー６の燃焼量値を決定し、燃焼制御を行う構成のものであった。又、浴槽１１内の水を沸かす場合は、循環ポンプ１２にて浴槽１１内の水をくみ上げ熱交換器４の風呂用伝熱管１３に導かれる。そこで、バーナー６の燃焼熱を水に熱交換されお湯に沸き上がる。沸き上がり温度は、出湯温度設定器９より好みの温度に設定する事ができる。風呂用循環回路１８には、風呂温度検出器１４、風呂流量検出器１５が具備されている。
【０００４】
【発明が解決しようとする課題】
しかしながら、前記従来の構成では、風呂を沸かさずに給湯をする場合、まず、出湯が開始されると流量センサー２が検知し、バーナー６の燃焼が開始され、あらかじめ設定された出湯温度になるよう燃焼量が調整される。このとき、風呂用循環回路１８の水は止水状態であり、風呂用伝熱管１３は共用の吸熱フィン１７から燃焼の熱を吸熱し高温となるが、一部給湯用伝熱管５へ放出する。しかし、風呂用伝熱管１３は給湯用伝熱管５より高温となるため、風呂用伝熱管１３内の浴槽水は部分沸騰し膨張する。その際、風呂用伝熱管１３・吸熱フィン１７・燃焼室ドラム１６の温度バランスがくずれ膨張状態のみだれによりひずみが発生し、異音を発するという課題を有していた。
【０００５】
本発明は、上記従来の課題を解決するもので、給湯中の風呂用伝熱管内の部分沸騰を抑え温度バランスのくずれを防止し、異音の発生を防止することを目的としている。
【０００６】
【課題を解決するための手段】
上記課題を解決するため本発明の風呂釜付給湯機は、燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路と、前記風呂用伝熱管に浴そう内の水を供給する循環ポンプと、前記風呂用循環回路内の水の流れを検知する風呂流量検出器と前記風呂用循環路内の水温を検知する風呂温度検出器とを備え、前記風呂用循環回路停止時に、前記給湯回路の燃焼運転を開始すると、前記循環ポンプが運転されるようにしたものである。
【０００７】
上記発明によれば、風呂用循環回路停止時に、給湯回路の燃焼運転を開始すると、循環ポンプをさせることにより風呂用伝熱管内の水に流れを生じさせ、水の停止状態で発生する部分的な沸騰状態を防止し、沸騰することによる風呂用伝熱管・吸熱フィン・燃焼室ドラムの温度バランスのくずれを防止し、膨張状態のみだれによりひずみの発生を抑え、異音を発することを無くすことができる。
【０００８】
【発明の実施の形態】
本願の請求項１に記載の発明は、燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路と、前記風呂用伝熱管に浴そう内の水を供給する循環ポンプと、前記風呂用循環回路内の水の流れを検知する風呂流量検出器と前記風呂循環路内の水温を検知する風呂温度検出器とを備え、前記風呂用循環回路停止時に、前記給湯回路の燃焼運転を開始すると、前記循環ポンプが運転されるようにしたものである。そして、風呂用循環回路停止時に、給湯回路の燃焼運転を開始すると、循環ポンプを運転させることにより風呂用伝熱管内の水に流れを生じさせ、水の停止状態で発生する部分的な沸騰状態を防止し、沸騰することによる風呂用伝熱管・吸熱フィン・燃焼室ドラムの温度バランスのくずれを防止し、膨張状態のみだれによりひずみの発生を抑え、異音を発することを無くすことができる。
【０００９】
また、請求項２に記載の発明は、循環ポンプが運転しても風呂流量検出器が水の流れを検出できないときは、前記循環ポンプの運転を停止させるものである。そして、浴槽を含む風呂用循環路内に、水が無い状態では、部分的な沸騰状態がなく温度上昇による膨張状態もスムーズに行われる為、異音が発生する事がなく、循環ポンプを運転すると、循環ポンプが空運転状態となり、循環ポンプの寿命が短くなったり、電力を不要に消費する問題を生じる心配がある。しかしながら、風呂流量検出器が水の流れを検出できないときは、循環ポンプの運転を停止させるようにしてあるので、循環ポンプの空運転を防止するとともに不必要な運転を防止することができる。
【００１０】
また、請求項３に記載の発明は、循環ポンプ運転時、風呂温度検出器が設定以上を検出すると、前記循環ポンプの運転を停止させるものである。そして、浴槽を含む風呂用循環路内の水温が低い状態では、部分的な沸騰状態が多くなり、ひずみによる異音が発生する。水温が３５℃を超えるとほとんどひずみによる異音が発生する事がなく、風呂温度検出器が３５℃以上を検出すると、循環ポンプの運転を停止させるようにしてあるので、不必要な運転状態や浴槽水の沸きあげを防止することができる。
【００１１】
また、請求項４に記載の発明は、循環ポンプ運転時、低速で回転させるものである。そして、風呂用循環回路内の部分的な沸騰状態は、浴槽を含む風呂用循環路内の水を極少量循環させるだけで防止でき、温度上昇による膨張状態もスムーズに行われるようになり、異音が発生する事がなく、つまり循環ポンプを運転する際、低速で回転させるようにしてあるので、部分的な沸騰状態を防止できるとともに循環ポンプの省電力化や低騒音化が図れる。
【００１２】
【実施例】
以下本発明の実施例について、図面を参照しながら説明する。
【００１３】
（実施例１）
図１は、風呂釜付給湯機の構成図を示すものである。図１において、給水口１より導かれた水は、流量センサー２・給水サーミスター３をへて熱交換器４の給湯用伝熱管５に導かれる。そこで、バーナー６の燃焼熱を水に熱交換されお湯に沸き上がる、沸き上がったお湯は、出湯温度検出器７を設けた給湯回路１９をへてカラン８等から使用場所に供給される。沸き上がり温度は、出湯温度設定器９より好みの温度に設定する事ができる。出湯温度設定器９により設定された温度と、流量センサー２の流量値と、給水サーミスター３の温度情報を制御器１０により演算し、バーナー６の燃焼量値を決定し、燃焼制御を行う構成のものであった。又、浴槽１１内の水を沸かす場合は、循環ポンプ１２にて浴槽１１内の水をくみ上げ熱交換器４の風呂用伝熱管１３に導かれる。そこで、バーナー６の燃焼熱を水に熱交換されお湯に沸き上がる。沸き上がり温度は、出湯温度設定器９より好みの温度に設定する事ができる。風呂用循環回路１８には、風呂温度検出器１４・風呂流量検出器１５が具備されている。
【００１４】
図２において、実施例１の動作を説明する。カラン８を開くと、流量センサー２が流量を検出し、バーナー６を燃焼させるその時、循環ポンプ１２を運転させ、浴槽１１内の水をくみ上げ熱交換器４の風呂用伝熱管１３に導かせることにより、風呂用循環回路１８内の水を動かす、そうすることによりバーナー６からの燃焼熱をうけ風呂用伝熱管１３内の水が部分沸騰することを防止し、風呂用伝熱管１３・吸熱フィン１７・燃焼室ドラム１６の温度上昇バランスを保ち、ひずみによる異音の発生を防止する。
【００１５】
（実施例２）
次ぎに、図３において、実施例２の動作を説明する。実施例１と同一部分は、同一番号を付与し、異なる部分のみ説明する。図において、カラン８を開くと、流量センサー２が流量を検出し、バーナー６を燃焼させるその時、循環ポンプ１２を運転させた時、風呂流量検出器１５が、水の流れを検出出来ない時は、浴槽１１を含む風呂用循環回路１８内に水が無い状態であるため、風呂用伝熱管１３内にも水が無く温度が一定に上昇し、風呂用伝熱管１３・吸熱フィン１７・燃焼室ドラム１６の温度上昇バランスが保たれ、ひずみによる異音の発生が生じないので、循環ポンプ１２の運転を停止させる。
【００１６】
（実施例３）
次ぎに、図４において、実施例３の動作を説明する。実施例１と同一部分は、同一番号を付与し、異なる部分のみ説明する。カラン８を開くと、流量センサー２が流量を検出し、バーナー６を燃焼させるその時、循環ポンプ１２を運転させた時、風呂温度検出器１４が、浴槽１１を含む風呂用循環回路１８内の水温を検出する、浴槽１１を含む風呂用循環路１８内の水温が低い状態では、部分的な沸騰状態が多くなり、ひずみによる異音が発生する。水温が３５℃を超えるとほとんどひずみによる異音が発生する事がない。それで、循環ポンプ１２を運転する必要がないので、風呂温度検出器１４が３５℃以上を検出すると、循環ポンプ１２の運転を停止させ、不必要な運転状態や浴槽１１水の沸きあげを防止する。
【００１７】
（実施例４）
次ぎに、図２において、実施例４の動作を説明する。実施例１と同一部分は、同一番号を付与し、異なる部分のみ説明する。カラン８を開くと、流量センサー２が流量を検出し、バーナー６を燃焼させるその時、循環ポンプ１２運転時、低速で回転させる、浴槽１１を含む風呂用循環路１８内の水を極少量（１〜２Ｌ／ｍｉｎ）循環させると、部分的な沸騰状態がなく温度上昇による膨張状態もスムーズに行われる為、異音が発生する事がない。それで、循環ポンプ１２を運転する際、低速で回転させることにより、省電力化や低騒音化が図れる。
【００１８】
【発明の効果】
以上のように、風呂循環回路停止時に、給湯回路の燃焼運転を開始すると、循環ポンプを運転させることができるので、風呂用伝熱管内の部分沸騰状態を防止し、沸騰することによる風呂用伝熱管・吸熱フィン・燃焼室ドラムの温度バランスのくずれを防止し、膨張状態のみだれによりひずみの発生を抑え、異音を発することを無くすことができる。
【図面の簡単な説明】
【図１】本発明の実施例１の風呂釜付給湯機の構成図
【図２】本発明の実施例１及び４における風呂釜付給湯機のフローチャート
【図３】本発明の実施例２における風呂釜付給湯機のフローチャート
【図４】本発明の実施例３における風呂釜付給湯機のフローチャート
【図５】従来の風呂釜給湯機の構成図
【符号の説明】
４　熱交換器
５　給湯用伝熱管
６　バーナー
１２　循環ポンプ
１３　風呂用伝熱管
１４　風呂温度検出器
１５　風呂流量検出器
１６　燃焼室ドラム
１７　吸熱フィン
１８　風呂用循環回路
１９　給湯用回路
【図１】
2004069075.tif 000003
【図２】
2004069075.tif 000004
【図３】
2004069075.tif 000005
【図４】
2004069075.tif 000006
【図５】
2004069075.tif 000007